(57)【要約】【課題】表地、裏地の何れに配設しても外観上違和感がない収納ポーチ本体を備え未着用時に折り畳んで収納ポーチ状にして携帯できる衣類、当該衣類自体を折り畳み易く、その折り畳み皺が自然な衣類、そして、前記衣類の優れた機能性を有するとともに、優れたファッション性を有する衣類を提供すること。【解決手段】衣類１０上の離れた位置に配設された略同形の２つの収納ポーチ本体１，２と、一方の該収納ポーチ本体１の周縁の略全周に形成された一のスライドファスナー３と、該一のスライドファスナー３に係合可能で他方の前記収納ポーチ本体２の周縁の略全周に形成された他のスライドファスナー４と、を備えており、前記スライドファスナー３，４を互いに係合することにより、互いに向かい合う前記２つの収納ポーチ本体１，２間に前記衣類１０が収納されることを特徴とする。【選択図】  図１
2005029922.tif 000002
【特許請求の範囲】
【請求項１】
衣類上の離れた位置に配設された略同形の２つの収納ポーチ本体と、
一方の該収納ポーチ本体の周縁の略全周に形成された一のスライドファスナーと、
該一のスライドファスナーに係合可能で他方の前記収納ポーチ本体の周縁の略全周に形成された他のスライドファスナーと、を備えており、
前記スライドファスナーを互いに係合することにより、互いに向かい合う前記２つの収納ポーチ本体間に前記衣類が収納されることを特徴とする衣類。
【請求項２】
２つの収納ポーチ本体は、それぞれ衣類の左右前身頃の裏地に設けられていることを特徴とする請求項１記載の衣類。
【請求項３】
収納ポーチ本体は、衣類のポケットを兼用することを特徴とする請求項１又は２記載の衣類。
【請求項４】
２つの収納ポーチ本体の形状は、長方形、正方形、円形、三角形の何れかから選択される形状であることを特徴とする請求項１〜３の何れかに記載の衣類。
【発明の詳細な説明】
【０００１】
【発明の属する技術分野】
本発明は、携帯に便利な収納ポーチ状にして持ち運びできる衣類に関するものである。
【０００２】
【従来の技術】
従来から、収納ポーチ状にして持ち運べる衣類としては、図８に示すような上衣がある。この従来の上衣１０は、収納ポーチ本体７が２つ折りポーチタイプのように一体に形成してあり、その収納ポーチ本体７が上衣１０の裏地に配設してある。収納ポーチ本体７の外周右半分には、一のスライドファスナー８が取り付けられており、収納ポーチ本体７の外周左半分には、スライドファスナー８に係合可能な他のスライドファスナー９が取り付けられている。
【０００３】
この上衣１０によれば、上衣１０の裏地に収納ポーチ本体７を配設してあることにより、着用者が衣類１０を着用しない場合に、ファスナー８，９を係合して上衣１０を収納ポーチ本体７内に収納して携帯することができる。その上衣１０の収納作業は、収納ポーチ本体７の裏面を相互に向かい合わせにしてスライドファスナー８，９を半分程閉じて、収納ポーチが半分程出来かかったところで、そこに上衣１０を押し込むことが考えられる。
【０００４】
しかしながら、従来の上衣１０は、上衣１０を収納するために収納ポーチ本体７が一体に形成され、かつ一般のポケットより大きく形成されているので、外見が大きく損なわれる。よって、このように外観上違和感を与える収納ポーチ本体７を上衣１０の表地に設けることはできなかった。同様に、収納ポーチ本体７を表地のポケットと兼用することもできなかった。また、従来、収納ポーチ本体７が設けられたボトムズは存在しない。
【０００５】
一方、上衣１０の収納作業は、収納ポーチ本体７が上衣１０の左身頃の裏地に配設されているので、一般的な上衣の折り畳み方である上衣１０の中心線を基準として左右対称に折り畳むことができず、非常に収納しづらい。また、折り畳み皺が不自然なところに生じてしまい、外観上好ましくない。
【０００６】
また、収納ポーチ本体７が、上衣１０のポケットを兼用する場合には、収納ポーチ本体７の左身頃に配設された部分にはポケットとして使用可能であるが、収納ポーチ本体７の後身頃に配設された部分には着用者の手が届かずポケットとしての機能を十分に発揮できない。さらには、着用時に、収納ポーチ本体７の後身頃の部分の内容物が着用者の背中又は腰に当たって着用者に違和感を与えたり、痛みを与えたりする場合がある。
【０００７】
【発明が解決しようとする課題】
本発明は以上のような問題点に鑑みてなされたものであり、本発明が、解決しようとする課題は、表地、裏地の何れに配設しても外観上違和感がない収納ポーチ本体を備え未着用時に折り畳んで収納ポーチ状にして携帯できる衣類、当該衣類自体を折り畳み易く、その折り畳み皺が自然な衣類、そして、前記衣類の優れた機能性を有するとともに、優れたファッション性を有する衣類を提供することである。
【０００８】
【課題を解決するための手段】
上記課題を解決するため、本発明が採った手段は、図面に使用する符号を付して説明すると、図１〜６に示すように、「衣類１０上の離れた位置に配設された略同形の２つの収納ポーチ本体１，２と、一方の該収納ポーチ本体１の周縁の略全周に形成された一のスライドファスナー３と、該一のスライドファスナー３に係合可能で他方の前記収納ポーチ本体２の周縁の略全周に形成された他のスライドファスナー４と、を備えており、前記スライドファスナー３，４を互いに係合することにより、互いに向かい合う前記２つの収納ポーチ本体１，２間に前記衣類１０が収納される」ことを特徴とする。
【０００９】
２つの収納ポーチ本体１，２を相互に向かい合わせにして、その収納ポーチ本体１，２の周縁にそれぞれ取り付けられたスライドファスナー３，４を噛み合わせて閉じ、２つの収納ポーチ本体１，２間に衣類１０を収納させるように周縁を係合させることで、衣類１０を収納ポーチとして携帯に便利な形状で持ち運ぶことができる。このように衣類１０をコンパクトにして携帯できることにより、１泊旅行のような一寸した外出程度の旅行用に衣類１０を持参するのに便利である（図１，６参照）。
【００１０】
さらに、２つの収納ポーチ本体１，２が衣類１０上の離れた位置に配設されているので、収納ポーチ本体１，２全体の容積を変えないで各収納ポーチ本体１又は２単体の面積を小さく形成することができる。したがって、この２つの収納ポーチ本体１，２を衣類１０に配設した場合に、衣類１０の外観を損ねることがない。なお、衣類は、上衣であっても良いし、ボトムズであっても良い。上衣であれば、例えば、図１に示すようなハーフコート１０が挙げられ、ボトムズであれば、例えば、図７に示すような長パンツ２０が挙げられる（図１，７参照）。
【００１１】
しかも、収納ポーチを構成する２つの収納ポーチ本体１，２が、衣類１０上の離れた位置にそれぞれ完全に切り離されて配設されているので、衣類１０の収納方法は、簡単かつ容易で非常に折り畳み易い。つまり、あらかじめ衣類１０に配設した２つ折りポーチに合わせて衣類１０を折り畳むより、スライドファスナー３，４を少し噛み合わせて閉じて当接した収納ポーチ本体１，２の当接辺を基準として、この２つの収納ポーチ本体１，２上に収まるように衣類１０を折り畳む方が基準がはっきりして畳みやすいのである（図２〜５参照）。
【００１２】
また、請求項２記載の発明に係る衣類は、「２つの収納ポーチ本体１，２は、それぞれ衣類１０の左右前身頃の裏地に設けられている」ことを特徴とする。
【００１３】
衣類１０は、図１，２に示すように、２つの収納ポーチ本体１，２が衣類１０の左右前身頃の裏地に左右対称となるように設けられれているので、スライドファスナー３，４を少し噛み合わせて閉じれば収納ポーチ本体１，２が衣類１０の中央に配置される。そして、衣類１０を収納ポーチ本体１，２に収納する際に、一般的な衣類１０のように衣類１０の中心線を基準として折り畳むことができるので、その作業は非常に折り畳み易く衣類１０を収納し易い。また、このように左右対称に折り畳むことができると、折り畳み時の皺が自然な感じになり、外観上違和感がなく好ましい。
【００１４】
さらに、請求項３記載の発明に係る衣類は、請求項１又は２に記載の衣類において、「収納ポーチ本体１又は２は、衣類１０のポケットを兼用する」ことを特徴とする。
【００１５】
収納ポーチ本体１又は２が衣類１０のポケットを兼用する場合には、当該収納ポーチ本体１又は２は、着用時のポケットとして使用されるばかりでなく、収納ポーチとして使用される場合の携帯電話、ペン等の筆記具、財布、切符、パスポートその他収納物を入れる収納部として使用できる。このように衣類１０のポケットが、そのまま収納ポーチの収納部になるので、前記収納物を全く入れ替える必要がない。
【００１６】
また、２つの収納ポーチ本体１，２をそれぞれ左右前身頃の裏地に設けた場合には、ポケットに着衣者の手が容易に届き収納物の出し入れがし易く、ポケット内の収納物が着衣者の背中にぶつかったりしない。
【００１７】
さらに、請求項４記載の発明に係る衣類は、請求項１〜３の何れか１項に記載の衣類において、「２つの収納ポーチ本体１，２の形状は、長方形、正方形、円形、三角形の何れかから選択される形状である」ことを特徴とする。
【００１８】
２つの収納ポーチ本体１，２の形状が長方形、正方形、円形、三角形の何れかから選択される形状である場合には、収納ポーチ本体１，２の意匠により、収納ポーチ本体１，２が衣類１０のワンポイントアクセントとなる。また、収納ポーチとした場合には、収納ポーチ本体１，２の形状が他の収納ポーチとは異なるファッション性を有する。したがって、請求項１〜３の何れかに記載の衣類１０の奏する優れた機能性を有するとともに、優れたファッション性も有する。
【００１９】
【発明の実施の形態】
本発明の実施の形態を実施例に基づき図面を参照して説明する。図１は、本発明の衣類として、ハーフコートに適用した斜視図である。本発明のハーフコート１０は、ハーフコート１０上の離れた位置に配設された略同形の２つの収納ポーチ本体１，２と、一方の該収納ポーチ本体１の周縁の略全周に形成された一のスライドファスナー３と、一のスライドファスナー３に係合可能で他方の収納ポーチ本体２の周縁の略全周に形成された他のスライドファスナー４と、を備えている。
【００２０】
２つの収納ポーチ本体１，２は、ハーフコート１０上の離れた位置に配設してあるので、収納ポーチ本体１，２全体の容積を変えないで各収納ポーチ本体１又は２単体の面積を小さく形成することができる。このように収納ポーチ本体１，２の面積を小さく抑えることができるので、２つの収納ポーチ本体１，２をポケットと兼用できる大きさに形成でき、ハーフコート１０の外観を損ねることがない。
【００２１】
また、収納ポーチ本体１又は２は、ハーフコート１０のポケットを兼用している。したがって、当該収納ポーチ本体１又は２は、着用時のポケットとして使用できるとともに、収納ポーチとして使用した場合の携帯電話、ペン等の筆記具、財布、切符、パスポートその他収納物を入れる収納部として使用できる。このように衣類１０のポケットが、そのまま収納ポーチの収納部になることにより、前記収納物を全く入れ替える必要がなく、非常に便利である。
【００２２】
収納ポーチの一方の面である片方の収納ポーチ本体１が兼用するポケットには、さらに複数のミニポケットが付設してある。また、収納ポーチの他方の面である他方の収納ポーチ本体２が兼用するポケットには、メッシュ状の生地を使い収納物が外部から見えるようにしてあり、手提げ又はベルト通しが付設してある。このように、各ポケットの機能やデザインを変えておけば、ハーフコート１０から収納ポーチに変換しても、収納ポーチからハーフコート１０に変換しても、各収納部分が区別できるので、収納物の取り出しに戸惑うことがない。
【００２３】
２つの収納ポーチ本体１，２は、略長方形に形成してあり、２つの収納ポーチ本体１，２の大きさは、ハーフコート１０を収納ポーチ本体１，２を向かい合わせにした間に収納できるように、一辺の長さがそれぞれ最小で縦１０〜１５ｃｍ横５〜１０ｃｍ、最大で縦３０〜４０ｃｍ横２０〜３０ｃｍの範囲から選択してある。したがって、ハーフコート１０のサイズ、男性用若しくは女性用、又は生地の厚みが変わっても、ハーフコート１０を収納ポーチ本体１，２間に容易に収納することができるから、例えば収納ポーチ本体１，２にマチ部を形成しなくても良い。マチ部が形成されてないことにより、収納ポーチ本体１，２がかさばらず、外観上違和感がなく、着用感も良い。
【００２４】
なお、２つの収納ポーチ本体１，２は、長方形、正方形、三角形、円形の何れかの形状から選択することができる。その際の２つの収納ポーチ本体１，２の大きさは、例えば、収納ポーチ本体１，２が正方形の場合、収納ポーチ本体１，２の一辺の長さは最小で５〜１０ｃｍ、最大で２０〜３０ｃｍの範囲から選択され、収納ポーチ本体１，２の形状が円形の場合、直径の長さは最小で５〜１０ｃｍ、最大で横２０〜３０ｃｍの範囲から選択され、収納ポーチ本体１，２の形状が三角形の場合、一辺の長さは最小で５〜１０ｃｍ、最大で２０〜３０ｃｍの範囲から選択される。
【００２５】
以下、図２〜６を参照して、ハーフコート１０の収納手順について詳細に説明する。図２は、スライドファスナー３，４を少し噛み合わせて閉じ、２つの収納ポーチ本体１，２の一辺を当接させた状態を示す図である。
【００２６】
上述したように、収納ポーチを構成する２つの収納ポーチ本体１，２が、ハーフコート１０上の離れた位置にそれぞれ完全に切り離されて配設されているので、ハーフコート１０を収納ポーチ本体１，２間に収納する際には、まずスライドファスナー３，４を少し噛み合わせて閉じると２つ折りポーチタイプと同じような形状となる。その際、収納ポーチ本体１，２の下側には、ハーフコート１０が重ね合わされる。そこで、図２の矢印で示すように、ハーフコート１０の表裏を反転させる。
【００２７】
次に、図３に示すように、ハーフコート１０の裾部を、スライドファスナー３，４が見える位置で収納ポーチ本体１，２の内側へ谷折りにして折り畳む。同様にして、矢印で示すように、ハーフコート１０の左右前身頃部分を、スライドファスナー３，４が見える位置で収納ポーチ本体１，２の内側へ谷折りして折り畳む。図４に示すように、折り畳み進んだところで、矢印で示すように、ハーフコート１０の後身頃部分を、波線で示す位置で２度に分けて折り畳み、図５に示すように、２つ折りポーチ状に折り畳む。
【００２８】
そして、図５に示すように、矢印で示す向きに、２つの収納ポーチ本体１，２の当接辺を基準として２つの収納ポーチ本体１，２を相互に向かい合わせにして、図６に示すように、その収納ポーチ本体１，２の周縁の略全周にそれぞれ取り付けられたスライドファスナー３，４を噛み合わせて閉じ、２つの収納ポーチ本体１，２間にハーフコート１０を収納させるように周縁を係合させることで、ハーフコート１０を収納ポーチとして携帯に便利な形状で持ち運ぶことができる。
このようにハーフコート１０をコンパクトにして持ち運ぶことができることにより、１泊旅行のような一寸した外出程度の旅行用にハーフコート１０を持参するのに便利である。なお、収納ポーチからハーフコート１０へ展開する場合には、この逆の手順で展開すれば良いことは言うまでもない。
【００２９】
このように、少しスライドファスナー３，４を噛み合わせて閉じた収納ポーチ本体１，２の当接辺を基準として、この２つの収納ポーチ本体１，２間に収まるように内側へハーフコート１０を折り畳めば容易且つ簡単にハーフコート１０を折り畳むことができる。また、あらかじめ配設された２つ折りポーチに合わせてハーフコート１０を折り畳むより、ハーフコート１０を折り畳み易い。
【００３０】
また、このように折り畳むと、互いに向かい合う２つの収納ポーチ本体１，２間にハーフコート１０が均等の厚みで折り畳まれ、収納される。さらに、ハーフコート１０から変換された収納ポーチの形状がいびつでないので、スライドファスナー３，４がひっかったりせず、スライドファスナー３，４のスライドが容易である。そして、スライドファスナー３，４を互いに係合することにより、変換された収納ポーチはコンパクトで携帯し易い。
【００３１】
さらに、収納ポーチ本体１，２は、ハーフコート１０の左右前身頃の裏地に左右対称となるように設けられれているので、ハーフコート１０を収納ポーチ本体１，２内に収納する際に、一般的なハーフコート１０のようにハーフコート１０の中心線を基準として折り畳むことができ、非常に折り畳み易い。また、このように左右対称に折り畳むことができると、折り畳み皺が自然な感じになり、外観上違和感がなく好ましい。
【００３２】
収納ポーチ本体１，２の形状が長方形、正方形、円形、三角形の何れかから選択される形状である場合には、収納ポーチ本体１，２の意匠により、収納ポーチ本体１，２が衣類１０のワンポイントアクセントであったり、収納ポーチの形状が他の収納ポーチと異なる優れたファッション性を有し、上述したハーフコート１０の優れた機能性を有するとともに、優れたファッション性も有する。
【００３３】
また、ハーフコート１０は、フードを付けたり、そでを巻き上げて係止するストラップを付けたりするなど、種々のデザインが可能であり、その場合でも上記折り畳み方法により、ハーフコート１０と収納ポーチとの変換が可能である。
【００３４】
なお、ハーフコート１０、スライドファスナー３，４などの素材を、フッ素系撥水剤で処理加工したり、樹脂加工するなどして、防水加工しておくとハーフコート１０をレインウエアとして使用できて良い。突然の雨に遭遇しても、ハーフコート１０を収納ポーチに変換して身につけていれば、スライドファスナー３，４を開いてすぐに対応できる。また、雨が止んだら、ハーフコート１０が濡れたままでも気にせずに、直ちに収納ポーチに変換でき、防水パッキングができるので、濡れた雨具の収納、携行も軽快である。
【００３５】
（実施例２）
次に、他の実施例について図７を参照して説明する。図７は、本発明の衣類として、長パンツに適用した場合の好適な一実施例を示す図である。
【００３６】
実施例２の長パンツ２０は、長パンツ２０上の離れた位置であって、長パンツ２０の左右脚部にそれぞれ配設された略同形の２つの収納ポーチ本体１，２と、一方の収納ポーチ本体１の周縁の略全周に形成された一のスライドファスナー３と、一のスライドファスナー３に係合可能で他方の収納ポーチ本体２の周縁の略全周に形成された他のスライドファスナー４と、を備え、収納ポーチ本体１，２が長パンツ２０のポケットを兼用するものである。
【００３７】
このように、２つの収納ポーチ本体１，２を、長パンツ２０上の表地に配設してあると、上記ハーフコート１０と同様の効果を奏するとともに、長パンツ２０の外観を損ねることがなく、違和感がない。収納ポーチ本体１，２を長パンツ２０上の離れた位置に配設したことにより、長パンツ２０を折り畳んで収納ポーチ状にして持ち運びをすることができ、非常に優れた携帯性を有する。特に、１泊旅行などには長パンツ２０を収納ポーチ状にして携帯でき、必要時には一寸した変えズボンと使用することができ、大変便利である。
【００３８】
以上、実施例に基づいて本発明を説明したが、本発明は上記実施例に何ら限定されるものではなく、本発明の趣旨を逸脱しない範囲内で種々の改良変形が可能である。
【００３９】
【発明の効果】
請求項１記載の衣類によれば、衣類上の離れた位置に配設された略同形の２つの収納ポーチ本体と、一方の該収納ポーチ本体の周縁の略全周に形成された一のスライドファスナーと、該一のスライドファスナーに係合可能で他方の前記収納ポーチ本体の周縁の略全周に形成された他のスライドファスナーと、を備えており、前記スライドファスナーを互いに係合することにより、互いに向かい合う前記２つの収納ポーチ本体間に前記衣類が収納されるので、衣類を折り畳んで収納ポーチ状にして携帯できるとともに、収納ポーチ本体が衣類の表地、裏地の何れに配設してあっても外観上違和感がなく、その衣類自体を折り畳み易いという効果を奏する。
【００４０】
請求項２記載の衣類によれば、上記効果に加え、さらに、２つの収納ポーチ本体は、それぞれ衣類の左右前身頃の裏地に設けられているので、衣類自体を折り畳み易く、かつ皺が自然で、未着用時に折り畳んで収納ポーチ状にして携帯できるという効果を奏する。
【００４１】
請求項３記載の衣類によれば、請求項１又は２に記載の衣類の奏する効果に加えて、さらに、収納ポーチ本体がポケットを兼用するので、着用時に収納ポーチ本体に物を収納できるポケットとして使用できるという効果を奏する。
【００４２】
請求項４記載の衣類によれば、請求項１〜３の何れか１項に記載の衣類の奏する効果に加えて、ファッション性を有する衣類を提供することができるという効果を奏する。
【図面の簡単な説明】
【図１】本発明の実施例１の衣類を着衣者が着衣した状態を示す斜視図である。
【図２】上記実施例１の衣類の２つの収納ポーチ本体相互を、スライドファスナーにより係合した状態を示す斜視図である。
【図３】上記実施例１の衣類の裾部を折り畳んだ状態を示す斜視図である。
【図４】上記実施例１の衣類の左右前身頃を折り畳んだ状態を示す斜視図である。
【図５】上記実施例１の衣類を２つ折り収納ポーチ状に折り畳んだ状態を示す斜視図である。
【図６】上記実施例１の衣類を収納ポーチ状に折り畳んだ状態を示す斜視図である。
【図７】本発明の実施例２の衣類を示す正面図である。
【図８】従来の衣類の一例を示す正面図である。
【符号の説明】
１，２    収納ポーチ本体
３，４    スライドファスナー
７        収納ポーチ本体
８，９    スライドファスナー
１０      ハーフコート（衣類）
２０      長パンツ（衣類）
【図１】
2005029922.tif 000003
【図２】
2005029922.tif 000004
【図３】
2005029922.tif 000005
【図４】
2005029922.tif 000006
【図５】
2005029922.tif 000007
【図６】
2005029922.tif 000008
【図７】
2005029922.tif 000009
【図８】
2005029922.tif 000010